(57)【要約】      （修正有）【課題】屋外の駐車場や山間部などの外部電源のない所に設置し、警告用看板灯で廃棄物の不法投棄を行わない様に警告し、投棄する者をカメラで動画撮影できる監視システムを提供する。【解決手段】太陽電池モジュール３と蓄電池４の電気によって機器を作動させる。支柱１の上部にデイナイトカメラ６、赤外線ＬＥＤ投光器７、侵入者を感知する人感センサ８を配置する。制御ボックス２内には撮影した映像を記録するためのＳＤレコーダ５を配置する。制御ボックス２の上に警告用看板灯９を配置し、２４時間タイマ制御で夜間に点灯させる事により侵入者への不法投棄の抑止効果を発揮する。人感センサ８が侵入者を感知した場合には、デイナイトカメラ６とＳＤレコーダ５が侵入者の撮影をする。夜間には赤外線を用いた白黒動画撮影を行う。【選択図】図１
0003160004.tif 000002
【実用新案登録請求の範囲】
【請求項１】
下部に制御機器を収納することができる制御ボックスを備えた支柱の上端部に太陽電池モジュールを設置して昼間に発電した電気を制御ボックス内に配置した蓄電池に充電し、当該蓄電池の電気によって、支柱の上部に配置した、デイナイトカメラ、警告用看板灯、赤外線ＬＥＤ投光器、人感センサと制御ボックス内に配置したＳＤレコーダを駆動し、２４時間タイマによって夜間の警告用看板灯の点灯制御を行い、人感センサが人や車の接近を検知することにより、デイナイトカメラを起動してその接近者の映像を制御ボックス内に配置したＳＤレコーダに記憶する移動監視システム。
【請求項２】
本体上部の太陽電池モジュールで自然光により発電した電力を制御ボックス内の蓄電池に充電し、システム全体の動力をまかなう事を特徴とする請求項１記載の移動監視システム。
【請求項３】
人感センサで人や車の接近を検知して、デイナイトカメラ、ＳＤレコーダを起動し、さらに夜間の場合には赤外線ＬＥＤ投光器を点灯することを特徴とする請求項１記載の移動監視システム。
【請求項４】
昼間はカラーで動画撮影し夜間には自動的に赤外線による白黒撮影に切り替わるデイナイトカメラを備えることを特徴とする請求項１記載の移動監視システム。
【請求項５】
夜間には支柱の中央部に配した警告用看板灯の内部のＬＥＤ灯を点灯し、侵入者からの視認性を高めて不法投棄への抑止効果を図ること特徴とする請求項１記載の移動監視システム。
【考案の詳細な説明】
【技術分野】
【０００１】  この考案は、道路脇や無人の駐車場などに設置し、「不法投棄監視中」と表示した看板灯により廃棄物の不法投棄を図る者に対して抑制効果を発揮し、さらに不法投棄を行った者に対してはその映像を撮影する監視システムに関する考案である。
【背景技術】
【０００２】  画像装置全体を持ち運び可能にし、不法投棄をする者を確認して事後の摘発や予防に対処できるようにした装置が特許文献１に開示されている。
【先行技術文献】
【特許文献】
【０００３】
【特許文献１】実用新案登録第３１５０３０６号公報
【考案の概要】
【考案が解決しようとする課題】
【０００４】本考案は、道路脇や山奥のなどの電源のない場所でも蓄電池の交換や充電の手間をかけずに使用出来るとともに、侵入者に対して不法投棄を抑制することを目的とするものである。
【問題を解決するための手段】
【０００５】電源として支柱１の上部に太陽電池モジュール３を設置して昼間に発電した電気を制御ボックス２内に配置した蓄電池４に充電し、蓄電池４に充電した電気によって機器を作動させる。支柱１の上部には、デイナイトカメラ６、赤外線ＬＥＤ投光器７、人感センサ８を配置する。
【０００６】警告用看板灯９と赤外線ＬＥＤ投光器７の光源に長寿命のＬＥＤを採用することによって消費電力を減少させ、さらに電球交換にともなう管理費用の低減を図る。
【０００７】警告用看板灯９は２４時間タイマ１２によって夜間に点灯させ、視認性を高めて廃棄物の不法投棄を図ろうとする者への抑止効果を高める。
【０００８】昼夜兼用で映像の撮影が行えるように、動画撮影にデイナイトカメラ６を使用する。昼間はカラーで動画撮影し夜間には自動的に赤外線による白黒動画撮影に切り替わる。
【０００９】本体上部に設置した人感センサ８が侵入者を検知し、撮影用デイナイトカメラ６と録画用ＳＤレコーダ５を起動する。その際、２４時間タイマ１２で指定された時間内では赤外線ＬＥＤ投光器７も作動させて被写体に赤外線を照射して、デイナイトカメラ６が赤外線で動画撮影する事を可能にする。
【００１０】本体の底部にはアジャスターボルト１０を配置して、その長さを調節することにより地面に段差があるところへの設置を可能にする。
【考案の効果】
【００１１】  この考案は、道路脇や無人の駐車場などに設置し、「不法投棄監視中」と表示した警告用看板灯９により廃棄物の不法投棄を図る者に対して抑制効果を発揮し、さらに不法投棄を行った者の映像を動画撮影する。
監視システム全体が可搬式であるため、軽トラックなどで容易に設置場所を移動できる。また、太陽電池モジュール３によりシステムに必要な電力をまかなうので、電源のない場所でも使用することが出来る。
【図面の簡単な説明】
【００１２】
【図１】図１は、本考案に係るソーラー式移動監視システムの正面図。
【図２】図２は、本考案に係るソーラー式移動監視システムの制御の一例を示すシーケンス図。
【図３】図３は、本考案に係るソーラー式移動監視システムの警告用看板灯。
【考案を実施するための形態】
【００１３】  本考案の好ましい実施形態を添付の図面に基づいて説明する。図１に示す不法投棄のソーラー式移動監視システムは、支柱１の下部に制御機器を収納することができる制御ボックス２を取り付け、制御ボックス２の中に、蓄電池４、ＳＤレコーダ５、充放電制御器１１、２４時間タイマ１２を取り付ける。
【００１４】支柱１の上端部に太陽電池モジュール３を設置して昼間に発電した電気を制御ボックス２内に配置した蓄電池４に充電する。蓄電池４の過充電と過放電を防ぐために、図２の様に蓄電池４には充放電制御器１１を接続する。
【００１５】図３に示す警告用看板灯９の前面は表面に「不法投棄監視中」の文字を書いた半透明の樹脂版で形成し、その後ろにＬＥＤ灯を取り付けて夜間にも文字が見えるように点灯させる。支柱１の中央部に警告用看板灯９を配置し、その点灯時間は２４時間タイマ１２で制御する。
【００１６】支柱１の上部にデイナイトカメラ６と人感センサ８を配置し、人感センサ８が侵入者を検知するとデイナイトカメラ６と制御ボックス２内部のＳＤレコーダ５を起動して侵入者を動画撮影する。
【００１７】日中はカラーで撮影しているデイナイトカメラ６は周囲が暗くなると自動的に赤外線による白黒撮影に切り替わる。
【００１８】支柱１の上部に赤外線ＬＥＤ投光器７を配置し、デイナイトカメラ６が赤外線撮影をするのに必要な赤外線の照射を行う。赤外線ＬＥＤ投光器７の点灯制御は２４時間タイマ１２と人感センサ８で行う。
【００１９】支柱１の底部にはアジャスターボルト１０を配置して、その長さを調節することにより地面に段差があるところへの設置を可能にする。
【符号の説明】
【００２０】１・・・支柱
２・・・制御ボックス
３・・・太陽電池モジュール
４・・・蓄電池
５・・・ＳＤレコーダ
６・・・デイナイトカメラ
７・・・赤外線ＬＥＤ投光器
８・・・人感センサ
９・・・警告用看板灯
１０・・・アジャスターボルト
１１・・・充放電制御器
１２・・・２４時間タイマ
【図１】
0003160004.tif 000003
【図２】
0003160004.tif 000004
【図３】
0003160004.tif 000005